(57)【要約】  【課題】被写体の肖像権を保護するカメラおよびカメラシステムを得る。  【解決手段】被写体２が携帯するタグ３は、被写体ＩＤなどを記憶するメモリと、被写体２の位置を検出する位置検出装置と、カメラ１との間で無線通信する送受信回路とを有する。タグ３は、被写体情報（被写体ＩＤ、位置情報、撮影可否を示す情報）をカメラ１へ送信する。カメラ１は、カメラＩＤなどを記憶するメモリと、カメラ１の位置を検出する位置検出装置と、タグ３との間で無線通信する送受信回路とを含む。カメラ１は、被写体２を撮影許可する情報をタグ３から受信したとき、被写体２を通常どおり撮影・記録する。カメラ１は、被写体２の撮影を拒否する情報をタグ３から受信したとき、被写体２の撮影を禁止する、被写体２が撮影許諾をしていないことをカメラ１の使用者に報知する、被写体２が写らないようにする、および撮影画像において被写体２を特定できないようにすることのうち少なくとも１つを行う。  【選択図】図１
2005107358.tif 000002
【特許請求の範囲】
【請求項１】
撮影レンズを通して被写体像を所定の撮影条件で撮像する撮像手段と、
カメラの位置を検出して位置情報を生成する位置情報生成手段と、
少なくとも主要被写体の位置を示す情報、および前記主要被写体に対する撮影可否を示す情報を含み、前記主要被写体側から送信される被写体情報を受信する受信手段と、
前記位置情報生成手段によるカメラの位置、前記受信した被写体情報が示す前記主要被写体の位置、および設定されている撮影条件を用いて、前記主要被写体を撮影範囲に含むか否かを判定する判定手段と、
前記受信した被写体情報が示す前記撮影可否、および前記判定手段による判定結果に応じて撮影動作を制御する制御手段とを備えることを特徴とするカメラ。
【請求項２】
請求項１に記載のカメラにおいて、
前記制御手段は、(1)前記被写体情報が撮影可を示す、もしくは前記判定手段が前記主要被写体を撮影範囲に含まないと判定したとき、設定されている撮影条件による撮影を指示し、(2)前記被写体情報が撮影否を示すとともに、前記判定手段が前記主要被写体を撮影範囲に含むと判定したとき、撮影禁止と、撮影不可を示す表示と、閃光装置の発光禁止と、前記記録禁止と、前記設定されている撮影条件のうちズーム倍率の変更、絞り値の変更、およびシャッタ速度の変更の少なくとも１つと、の中から少なくとも１つを行うように指示することを特徴とするカメラ。
【請求項３】
請求項２に記載のカメラにおいて、
前記制御手段は、前記ズーム倍率の変更、および前記シャッタ速度の変更のいずれかを指示するとき、手持ち撮影時に手ブレが生じるようにそれぞれの変更量を指示することを特徴とするカメラ。
【請求項４】
請求項２または３に記載のカメラにおいて、
前記制御手段は、前記絞り値の変更を指示するとき、前記主要被写体を被写界深度外へ外すように変更量を指示することを特徴とするカメラ。
【請求項５】
請求項２〜４のいずれかに記載のカメラにおいて、
前記制御手段は、前記ズーム倍率の変更を光学ズーム倍率の変更によって行う場合に前記主要被写体を撮影画角外へ外すように変更量を指示し、前記ズーム倍率の変更を電子ズーム倍率の変更によって行う場合に前記主要被写体の解像度を落とすように変更量を指示することを特徴とするカメラ。
【請求項６】
少なくとも主要被写体の位置を示す情報および撮影可否を示す情報を含む被写体情報を送信する被写体情報送信手段と、
請求項１〜５のいずれかに記載のカメラとを備えることを特徴とするカメラシステム。
【請求項７】
撮影レンズを通して被写体像を撮像する撮像手段と、
データを記録媒体に記録する記録手段と、
少なくとも主要被写体に対する撮影可否を示す情報を含み、前記主要被写体側から送信される被写体情報を受信する受信手段と、
前記受信した撮影可否情報に応じて撮影処理の実施／不実施を決定する制御手段と、
前記受信した被写体情報を前記記録媒体に記録するように前記記録手段に指示する被写体情報記録指示手段とを備えることを特徴とするカメラ。
【請求項８】
少なくとも撮影可否を示す情報を含む被写体情報を送信する被写体情報送信手段と、
請求項７に記載のカメラとを備えることを特徴とするカメラシステム。
【請求項９】
請求項６または８に記載のカメラシステムにおいて、
前記カメラは、当該カメラを特定するために必要な情報を送信する特定情報送信手段をさらに備え、
前記被写体情報送信手段は、前記特定情報送信手段によるカメラ特定情報に応じて、前記主要被写体を特定するために必要な情報をさらに含めて前記被写体情報を送信することを特徴とするカメラシステム。
【請求項１０】
請求項９に記載のカメラシステムにおいて、
前記撮影可否を示す情報は、時刻、場所、および前記カメラ特定情報ごとに設定されることを特徴とするカメラシステム。
【発明の詳細な説明】
【技術分野】
【０００１】
本発明は、カメラおよびカメラを用いたカメラシステムに関する。
【背景技術】
【０００２】
ライブ撮影などに用いるための権利保護機能付き撮影装置が知られている（特許文献１参照）。特許文献１には、撮影されるステージなどから客席に向けて権利情報をのせた信号を送信し、客席側の撮影装置でステージ上を撮影するとともに権利情報の信号を受信し、撮影した画像のデータに電子透かし技術を用いて権利情報を埋め込む技術が開示されている。
【０００３】
【特許文献１】特開２０００−３４１６３４号公報
【発明の開示】
【発明が解決しようとする課題】
【０００４】
上述した技術では、ステージ上の被写体人物が撮影されることを望む、望まないにかかわらず撮影され、画像のデータが記録されてしまう。したがって、撮影された画像データに権利情報を残すことはできても、被写体の肖像権を保護することは困難である。
【課題を解決するための手段】
【０００５】
請求項１に記載の発明によるカメラは、撮影レンズを通して被写体像を所定の撮影条件で撮像する撮像手段と、カメラの位置を検出して位置情報を生成する位置情報生成手段と、少なくとも主要被写体の位置を示す情報、および主要被写体に対する撮影可否を示す情報を含み、主要被写体側から送信される被写体情報を受信する受信手段と、位置情報生成手段によるカメラの位置、受信した被写体情報が示す主要被写体の位置、および設定されている撮影条件を用いて、主要被写体を撮影範囲に含むか否かを判定する判定手段と、受信した被写体情報が示す撮影可否、および判定手段による判定結果に応じて撮影動作を制御する制御手段とを備えることを特徴とする。
制御手段は、(1)被写体情報が撮影可を示す、もしくは判定手段が主要被写体を撮影範囲に含まないと判定したとき、設定されている撮影条件による撮影を指示し、(2)被写体情報が撮影否を示すとともに、判定手段が主要被写体を撮影範囲に含むと判定したとき、撮影禁止と、撮影不可を示す表示と、閃光装置の発光禁止と、記録禁止と、設定されている撮影条件のうちズーム倍率の変更、絞り値の変更、およびシャッタ速度の変更の少なくとも１つと、の中から少なくとも１つを行うように指示することもできる。
制御手段は、ズーム倍率の変更、およびシャッタ速度の変更のいずれかを指示するとき、手持ち撮影時に手ブレが生じるようにそれぞれの変更量を指示することもできる。
制御手段は、絞り値の変更を指示するとき、主要被写体を被写界深度外へ外すように変更量を指示することもできる。
制御手段は、ズーム倍率の変更を光学ズーム倍率の変更によって行う場合に主要被写体を撮影画角外へ外すように変更量を指示し、ズーム倍率の変更を電子ズーム倍率の変更によって行う場合に主要被写体の解像度を落とすように変更量を指示することもできる。
請求項６に記載の発明によるカメラシステムは、少なくとも主要被写体の位置を示す情報および撮影可否を示す情報を含む被写体情報を送信する被写体情報送信手段と、請求項１〜５のいずれかに記載のカメラとを備えることを特徴とする。
請求項７に記載の発明によるカメラは、撮影レンズを通して被写体像を撮像する撮像手段と、データを記録媒体に記録する記録手段と、少なくとも主要被写体に対する撮影可否を示す情報を含み、主要被写体側から送信される被写体情報を受信する受信手段と、受信した撮影可否情報に応じて撮影処理の実施／不実施を決定する制御手段と、受信した被写体情報を記録媒体に記録するように記録手段に指示する被写体情報記録指示手段とを備えることを特徴とする。
請求項８に記載の発明によるカメラシステムは、少なくとも撮影可否を示す情報を含む被写体情報を送信する被写体情報送信手段と、請求項７に記載のカメラとを備えることを特徴とする。
請求項６または８に記載のカメラシステムにおいて、カメラはさらに、当該カメラを特定するために必要な情報を送信する特定情報送信手段を備えてもよく、この場合の被写体情報送信手段は、特定情報送信手段によるカメラ特定情報に応じて、主要被写体を特定するために必要な情報をさらに含めて被写体情報を送信することもできる。
カメラシステムにおいて撮影可否を示す情報は、時刻、場所、およびカメラ特定情報ごとに設定してもよい。
【発明の効果】
【０００６】
本発明によるカメラ、カメラシステムでは、撮影範囲に含まれる主要被写体からの撮影可否情報を受けて撮影動作を制御するので、たとえば、撮影禁止などの動作制御を行うことにより、被写体の肖像権を保護することができる。
【発明を実施するための最良の形態】
【０００７】
以下、図面を参照して本発明を実施するための最良の形態について説明する。
（第一の実施形態）
図１は、本発明の第一の実施形態によるカメラシステムを示す図である。図１においてカメラシステムは、カメラ１と、主要被写体２が携帯するタグ３とで構成される。
【０００８】
図２は、カメラ１の要部構成を説明するブロック図である。撮影ズームレンズ１１を通過した被写体光は、撮像素子１２の撮像面上に結像される。撮像素子１２は、画素に対応する撮像信号を信号処理回路１３へ送出する。信号処理回路１３は、アナログ信号をディジタルデータに変換した上で、ホワイトバランス調整や画像圧縮処理など所定の画像処理を行う。メモリ１４は、画像データの一時的格納、画像処理時の作業領域、および後述するＣＰＵ１８の作業領域として使用される。
【０００９】
駆動機構１５は、撮影倍率を変更するために撮影ズームレンズ１１内のズームレンズ（不図示）を駆動する機構と、撮影時に主要被写体２に対してピントを合わせを行うために撮影ズームレンズ１１内のフォーカスレンズ（不図示）を駆動する機構とを含む。撮影ズームレンズ１１に設定されている焦点距離の情報、絞り値の情報は、ＣＰＵ１８に伝えられるように構成されている。
【００１０】
カメラ１は、不図示の絞り調節機構、シャッタ秒時調節機構、および被写体輝度検出機構を備える。ＣＰＵ１８は、検出した被写体輝度を用いて周知の露出演算を行うことにより、適正露出が得られるように絞りおよびシャッタ秒時の少なくとも一方の調節を指示する。また、主要被写体２を照明する閃光装置１６が発光可能に設定されている場合には、ＣＰＵ１８が撮影時に閃光装置１６を発光させる。カメラ１はさらに、不図示の焦点検出装置を備える。ＣＰＵ１８は、焦点検出装置により検出されたデフォーカス量に基づいて、駆動機構１５にフォーカスレンズの駆動を指示する。
【００１１】
送受信回路１７は、カメラ１の情報をタグ３へ送信するとともに、タグ３から送信される情報を受信する。ＣＰＵ１８は、カメラ１の動作を制御するとともに、当該カメラに固有のＩＤを示す情報および契約条件を示す情報などを記録する不揮発性メモリ（不図示）を備える。契約条件は、カメラ１で被写体２を撮影することに対して被写体２から撮影許諾を得るために、カメラ１から被写体２へ提示する条件である。たとえば、金銭授受を行う場合の金額や、撮影した画像（データ）の利用範囲等である。カメラ１およびタグ３間の通信は、Bluetooth（登録商標）、IrDA（赤外線通信）、および無線ＬＡＮなどの無線通信のいずれかによって行う。
【００１２】
表示装置１９は、液晶表示パネルによって構成され、レリーズ前のスルー画像、レリーズ後のフリーズ画像、および記録媒体２２に記録されている画像データによる画像を表示可能に構成されている。
【００１３】
位置検出装置２０は、周知のＧＰＳ衛星からの電波を受信して位置情報を生成する。操作部材２１は、レリーズスイッチやズームスイッチなど、撮影指示、カメラ１の設定変更、およびカメラ１に対する各種操作を行うための操作スイッチを含む。
【００１４】
記録媒体２２は、カメラ１に着脱可能に構成される不揮発性メモリである。記録媒体２２には、撮影された画像データなどが記録される。
【００１５】
図３は、タグ３の要部構成を説明するブロック図である。送受信回路５３は、タグ３の情報をカメラ１へ送信するとともに、カメラ１から送信される情報を受信する。位置検出装置５４は、周知のＧＰＳ衛星からの電波を受信して位置情報を生成するとともに、自己の方位を示す情報を生成する。不揮発性メモリ５２には、被写体２に固有のＩＤ情報、および被写体２を撮影することに対する許諾可否を示す情報などがあらかじめ記憶されている。条件つきで撮影許諾を与える場合には、必要条件を示す情報がメモリ５２に記憶される。ＣＰＵ５１は、タグ３内の各ブロックの動作を制御する。
【００１６】
本発明は、タグ３に記憶されている情報に応じて、カメラ１が被写体２を撮影する場合の撮影処理を制御する点に特徴を有する。第一の実施の形態では、カメラ１がタグ３から撮影許諾を得たときは通常の撮影処理を行い、カメラ１がタグ３から撮影許諾を得ないときは通常撮影と異なる処理を行う。
【００１７】
図４は、カメラ１で行われる処理の流れを説明するフローチャートである。図４による処理を行うプログラムは、カメラ１のメインスイッチ（不図示）がオンされると、ＣＰＵ１８によって繰り返し行われる。図４のステップＳ１１において、ＣＰＵ１８は、位置検出装置２０によって生成された位置情報を取得してステップＳ１２へ進む。この位置情報は、カメラ１の経度、緯度（または、方位を含む）を示す。
【００１８】
ステップＳ１２において、ＣＰＵ１８は、レリーズスイッチが半押し操作されたか否かを判定する。ＣＰＵ１８は、操作部材２１からの操作信号が半押し操作を示す場合にステップＳ１２を肯定判定してステップＳ１３へ進み、半押し操作されない場合はステップＳ１２を否定判定し、ステップＳ１２の判定処理を繰り返す。
【００１９】
ステップＳ１３において、ＣＰＵ１８は内部メモリからカメラＩＤを読み出し、このＩＤ情報を送受信回路１７を介して送信する。送受信回路１７の指向性は、少なくとも撮影ズームレンズ１１の画角内に位置し、カメラ１からの距離がたとえば１０ｍ以内に位置するタグ３と通信可能に構成されている。ステップＳ１４において、ＣＰＵ１８は、タグ３からのアンサがあるか否かを判定する。ＣＰＵ１８は、送受信回路１７でタグ３から送信された被写体情報を受信した場合にステップＳ１４を肯定判定してステップＳ１５へ進み、タグ３からの被写体情報を受信しない場合はステップＳ１４を否定判定し、ステップＳ２０へ進む。ステップＳ２０へ進む場合は、タグ３を携帯する被写体２が存在しない場合である。
【００２０】
ステップＳ１５において、ＣＰＵ１８は、被写体情報に含まれる被写体２のＩＤおよび位置情報を取得してステップＳ１６へ進む。複数のタグ３から被写体情報を受信した場合は、それぞれのＩＤおよび位置情報を取得する。ステップＳ１６において、ＣＰＵ１８は、被写体２が撮影範囲内に位置するか否かを判定する。撮影範囲か否かの判定は、以下に説明する画角判定および被写界深度判定によって行う。
【００２１】
１．画角判定
一般に、カメラ１の感光部材（この場合は撮像素子１２）上で被写体像が結像される有効領域の幅ｗと被写界の幅Ｗとの比、上記有効領域の高さｈと被写界の高さＨとの比、および撮影レンズ１１の焦点距離ｆと被写体距離Ｌとの比は、それぞれ次式（１）の関係を有する。
ｗ／Ｗ＝ｈ／Ｈ＝ｆ／Ｌ                                        （１）
【００２２】
ＣＰＵ１８は、撮影ズームレンズ１１に設定されている焦点距離ｆの情報を取得するとともに、ステップＳ１１で取得した自己の位置情報とステップＳ１５で取得した被写体２の位置情報とを用いて両者間の距離、すなわち、被写体距離Ｌを算出する。感光部材の有効領域の幅ｗおよび高さｈは既知なので、上式（１）に焦点距離ｆおよび被写体距離Ｌを代入すると、被写体距離Ｌにおける被写界の幅Ｗおよび高さＨが得られる。ＣＰＵ１８は、算出した幅Ｗおよび高さＨで示される範囲内に被写体２が位置する場合に、当該被写体２が被写界内に存在すると判定する。
【００２３】
２．被写界深度判定
無限遠まで被写界深度内に入る最短被写体距離で、被写体距離の１／２から無限遠までピントが合う距離を過焦点距離とすると、前方被写界深度は次式（２）で、後方被写界深度は次式（３）で、それぞれ表される。
前方被写界深度＝（過焦点距離×Ｌ）／（過焦点距離＋Ｌ）        （２）
後方被写界深度＝（過焦点距離×Ｌ）／（過焦点距離−Ｌ）        （３）
ただし、過焦点距離は、次式（４）で表される。
過焦点距離＝ｆ２／（絞り値×許容錯乱円）                       （４）
許容錯乱円は、感光部材が３５ｍｍフィルム相当の場合に０．０３３である。
【００２４】
ＣＰＵ１８は、設定されている絞り値を示す情報を撮影ズームレンズ１１から取得し、焦点距離ｆとともに上式（４）に代入して過焦点距離を算出し、この過焦点距離をさらに上式（２）および（３）に代入することにより、被写界深度を得る。
【００２５】
ＣＰＵ１８は、画角判定によって被写界内に位置すると判定した被写体２のうち、被写界深度判定によって被写体距離Ｌに対して前後の被写界深度内に位置すると判定した被写体２を撮影範囲内に位置すると判定する。ＣＰＵ１８は、複数の被写体情報を受信した場合には各タグ３（被写体２）ごとに撮影範囲か否かの判定を行う。
【００２６】
ＣＰＵ１８は、撮影範囲内に位置することを判定した被写体２が少なくとも１つ存在する場合にステップＳ１６を肯定判定してステップＳ１７へ進み、撮影範囲内に被写体２が存在しない場合はステップＳ１６を否定判定し、ステップＳ２０へ進む。
【００２７】
ステップＳ１７において、ＣＰＵ１８は、条件の要求の有無を判定する。ＣＰＵ１８は、被写体情報に条件提示の要求が含まれている場合にステップＳ１７を肯定判定してステップＳ１８へ進み、条件の要求が含まれていない場合にステップＳ１７を否定判定してステップＳ１９へ進む。
【００２８】
ステップＳ１８において、ＣＰＵ１８は、内部メモリから契約条件を読み出し、この条件を送受信回路１７を介して送信する。契約条件は、カメラ１の使用者によってあらかじめ記憶されている。なお、条件を提示してまで撮影許諾を得るつもりがない場合は、送信処理をスキップする。この場合には、タグ３から撮影拒否情報が送信される。契約条件およびスキップするか否かの設定は、あらかじめＣＰＵ１８内のメモリに被写体ＩＤごとに登録するように構成されている。ステップＳ１９において、ＣＰＵ１８は、撮影許可されたか否かを判定する。ＣＰＵ１８は、送受信回路１７で撮影許可を示す情報が受信された場合にステップＳ１９を肯定判定してステップＳ２０へ進み、撮影拒否を示す情報が受信された場合にステップＳ１９を否定判定してステップＳ２４へ進む。
【００２９】
ステップＳ２０において、ＣＰＵ１８は、レリーズスイッチが全押し操作されたか否かを判定する。ＣＰＵ１８は、操作部材２１からの操作信号が全押し操作を示す場合にステップＳ２０を肯定判定してステップＳ２１へ進み、全押し操作されていない場合にステップＳ２０を否定判定し、図４による処理を終了する。
【００３０】
ステップＳ２１において、ＣＰＵ１８は、撮影禁止か否かを判定する。ＣＰＵ１８は、後述するカメラ制御処理（ステップＳ２４）によって撮影処理の実行が禁じられているとき、ステップＳ２１を肯定判定して図４による処理を終了する。この場合のカメラ１は、撮影処理を行わない。一方、撮影処理が禁止されていないとき、ＣＰＵ１８は、ステップＳ２１を否定判定してステップＳ２２へ進む。
【００３１】
ステップＳ２２において、ＣＰＵ１８は、撮影処理を行ってステップＳ２３へ進む。ステップＳ２３において、ＣＰＵ１８は、記録媒体２２に撮影した画像のデータを記録する処理を行い、図４による処理を終了する。
【００３２】
上述したステップＳ１９を否定判定して進むステップＳ２４において、ＣＰＵ１８は、カメラ制御処理を行う。カメラ制御処理は、次の各処理のうち少なくとも１つを行う。
１．撮影禁止にする。
２．撮影拒否の情報を受信したことを表示装置１９に表示する。
３．閃光装置１６が発光するように設定されている場合、閃光装置１６へ発光指示を送らない。
４．駆動機構１５に指令を出力してズーム倍率（焦点距離）を変更し、主要被写体２を撮影画角外にする。
５．絞り調節機構（不図示）に指令を出力して絞り値を変更し、主要被写体２を被写界深度外にする。
６．シャッタ秒時調節機構（不図示）に指令を出力してシャッタ秒時を変更し、主要被写体２がブレるようにする。
【００３３】
上記１の場合は、ステップＳ２２以降の撮影処理に進まないので、撮影許諾をしない被写体２がカメラ１で撮影されることがない。上記２の場合は、被写体２が撮影許諾をしていないことをカメラ１の使用者に報知できる。上記３の場合は、閃光装置１６が発光しないので、撮影許諾をしない被写体２が露出アンダーになり、撮影画像において被写体２を特定できなくなる。上記４の場合は、撮影許諾をしない被写体２は撮影画像に含まれない。
【００３４】
上記５の場合は、撮影許諾をしない被写体２にピントが合わないので、撮影画像において被写体２を特定できなくなる。上記６の場合は、撮影許諾をしない被写体２がブレるので、撮影画像において被写体２を特定できなくなる。
【００３５】
図５は、タグ３で行われる処理の流れを説明するフローチャートである。図５による処理を行うプログラムは、タグ３のメインスイッチ（不図示）がオンされると、ＣＰＵ５１によって繰り返し行われる。図５のステップＳ５１において、ＣＰＵ５１は、位置検出装置５４によって生成された位置情報を取得してステップＳ５２へ進む。この位置情報は、タグ３（被写体２）の経度、緯度（または、方位を含む）を示す。
【００３６】
ステップＳ５２において、ＣＰＵ５１は、カメラ１からカメラＩＤを受信したか否かを判定する。ＣＰＵ５１は、送受信回路５３でカメラ１から送信されたカメラＩＤを受信した場合にステップＳ５２を肯定判定してステップＳ５３へ進み、カメラ１からのカメラＩＤを受信しない場合はステップＳ５２を否定判定し、ステップＳ５１へ戻る。ステップＳ５１へ戻る場合は、タグ３を携帯する被写体２を撮影しようとするカメラ１が存在しない場合である。なお、複数のカメラ１からカメラＩＤを受信した場合は、タグ３はそれぞれのＩＤに対して以降の処理を行う。
【００３７】
ステップＳ５３において、ＣＰＵ５１は、ＩＤに対応するカメラ１に対して撮影を拒否するか否かを判定する。ＣＰＵ５１は、メモリ５２に無条件拒否を示す情報が記憶されている場合にステップＳ５３を肯定判定し、ステップＳ６０へ進む。ＣＰＵ５１は、メモリ５２に無条件拒否を示す情報が記憶されていない場合にステップＳ５３を否定判定し、ステップＳ５４へ進む。無条件拒否の情報は、あらかじめタグ３を携帯する被写体人物によってタグ３内のメモリ５２に記憶されている。なお、無条件拒否の情報は、特定のカメラＩＤに対応させて記憶したり、全てのカメラＩＤに対応するように記憶することができる。
【００３８】
ステップＳ５４において、ＣＰＵ５１は、ＩＤに対応するカメラ１に対して条件次第で撮影を許可するか否かを判定する。ＣＰＵ５１は、メモリ５２に無条件許可を示す情報が記憶されている場合にステップＳ５４を否定判定し、ステップＳ５９へ進む。ＣＰＵ５１は、メモリ５２に許諾条件を示す情報が記憶されている（条件次第で許可する）場合にステップＳ５４を肯定判定し、ステップＳ５５へ進む。なお、無条件許可の情報は、特定のカメラＩＤに対応させて記憶したり、全てのカメラＩＤに対応させて記憶することができる。
【００３９】
ステップＳ５５において、ＣＰＵ５１は、メモリ５２に記憶されている被写体ＩＤと、ステップＳ５１で取得した位置情報と、条件提示の要求とを被写体情報として送受信回路５３から送信させ、ステップＳ５６へ進む。ステップＳ５６において、ＣＰＵ５１は、カメラ１からのアンサがあるか否かを判定する。ＣＰＵ５１は、送受信回路５３でカメラ１から送信された契約条件を示す情報を受信した場合にステップＳ５６を肯定判定してステップＳ５７へ進み、カメラ１からの契約条件の情報を受信しない場合はステップＳ５６を否定判定し、ステップＳ６０へ進む。ステップＳ６０へ進む場合は、カメラ１による撮影を拒否する場合である。
【００４０】
ステップＳ５７において、ＣＰＵ５１は、カメラ１に撮影を許可するか否かを判定する。ＣＰＵ５１は、ステップＳ５６で取得した契約情報がメモリ５２に記憶されている許諾条件を満足する場合にステップＳ５７を肯定判定してステップＳ５８へ進む。許諾条件は、あらかじめ被写体人物によってタグ３内のメモリ５２に記憶されている。なお、許諾条件は、特定のカメラＩＤに対応させて記憶したり、全てのカメラＩＤに対応させて記憶することができる。ＣＰＵ５１は、ステップＳ５６で取得した契約情報がメモリ５２に記憶されている許諾条件を満足しない場合にステップＳ５７を否定判定し、ステップＳ６０へ進む。
【００４１】
ステップＳ５８において、ＣＰＵ５１は、被写体ＩＤと、撮影許可情報とを送受信回路５３から送信させ、図５による処理を終了する。ステップＳ５９において、ＣＰＵ５１は、被写体ＩＤと、位置情報と、撮影許可情報とを被写体情報として送受信回路５３から送信させ、図５による処理を終了する。ステップＳ６０において、ＣＰＵ５１は、被写体ＩＤと、位置情報と、撮影拒否情報とを被写体情報として送受信回路５３から送信させ、図５による処理を終了する。
【００４２】
以上説明した第一の実施の形態についてまとめる。
（１）被写体２が携帯するタグ３は、被写体ＩＤなどを記憶するメモリ５２と、被写体２の位置を検出する位置検出装置５４と、カメラ１との間で無線通信する送受信回路５３とを有する。
【００４３】
（２）タグ３内には、ａ．無条件で被写体２を撮影許可、ｂ．無条件で被写体２を撮影拒否、ｃ．条件次第で被写体２を撮影許可、のいずれかを示す情報があらかじめ記憶される。条件次第で許可する場合には許諾条件も記憶される。タグ３は、カメラ１から送信されるカメラＩＤに応じて被写体情報（被写体ＩＤ、位置情報、撮影可否を示す情報）をカメラ１へ送信する。
【００４４】
（３）カメラ１は、カメラＩＤなどを記憶するメモリ（ＣＰＵ１８内）と、カメラ１の位置を検出する位置検出装置２０と、タグ３との間で無線通信する送受信回路１７とを含み、カメラ１の位置、被写体２の位置、カメラ１に設定されている画角および被写界深度に基づいて、被写体２が撮影範囲内に位置するか否かを判定する。
【００４５】
（４）カメラ１は、被写体２を撮影許可する情報をタグ３から受信したとき、被写体２を通常どおり撮影・記録する。カメラ１は、被写体２の撮影を拒否する情報をタグ３から受信したとき、被写体２の撮影を禁止する、被写体２が撮影許諾をしていないことをカメラ１の使用者に報知する、被写体２が写らないようにする、および撮影画像において被写体２を特定できないようにすることの少なくとも１つを行う。これにより、被写体２が撮影されることを望まない場合に、カメラ１で被写体２を無断で撮影することを防止できる。また、カメラ１を被写体２に向けて撮影した場合でも、記録画像から被写体２を特定できないようにしたので、撮影画像が公開されたとしても、被写体２の肖像権を保護することができる。
【００４６】
（５）カメラ１の半押し操作をトリガ（ステップＳ１２を肯定判定）として自動的にタグ３から被写体情報を受信し、撮影可否を判定する（ステップＳ１９）ようにしたので、撮影者は撮影時に被写体２に撮影許諾を求める必要がなく、撮影操作に専念できる。さらに、撮影実施（ステップＳ２０を肯定判定）前に肖像権を示す情報がカメラ１へ送信されるので、被写体２の肖像権を確実に保護できる。カメラ１とタグ３との間で撮影可否をリアルタイムに伝えられる。
【００４７】
（６）カメラ１を特定するカメラＩＤに対応させて撮影許可情報、撮影拒否情報、および許諾条件を記憶するようにしたので、カメラ１が複数あっても被写体２の肖像権を保護できる。また、１台のカメラ１に対して被写体２が複数存在しても、各被写体２の肖像権を保護できる。なお、複数の被写体２が隣り合い、少なくとも一人の被写体が撮影を拒否する場合は、撮影拒否を優先する。すなわち、撮影を拒否する人は、記録画像から特定できないようにする。
【００４８】
被写体２が撮影範囲内に位置するか否かを判定する処理（ステップＳ１６）において、カメラ１の位置する方位と被写体２が位置する方位とを照合してもよい。この照合処理によって判定精度を高めることができる。
【００４９】
撮影許可情報は、カメラＩＤに対応させるだけでなく、日時、時刻、撮影場所にも対応させてもよい。これにより、いつでも撮影を許可したり、曜日によって許可したり、特定の場所でのみ撮影を許可することができる。
【００５０】
以上の説明では、カメラ１がレリーズ半押し操作をトリガに被写体情報を得るようにしたが、メインスイッチオン後ただちに被写体情報を得るようにしてもよい。
【００５１】
また、カメラ１が被写体情報を得るタイミングをカメラ１のメニュー操作の中で指定するようにしてもよい。
【００５２】
カメラ１が電子カメラの場合を例にあげて説明したが、銀塩カメラもしくはビデオカメラであってもよい。
【００５３】
カメラ制御（ステップＳ２４）として上述した１〜６の他に、撮影処理（ステップＳ２２）を行った後で画像記録処理（ステップＳ２３）をスキップするようにしてもよい。これにより、被写体２を含む撮影画像が残らない。
【００５４】
また、シャッタ秒時調節機構（不図示）に指令を出力してシャッタ秒時を変更し、主要被写体２が露出アンダーもしくは露出オーバーになるようにしてもよい。これにより、撮影画像において被写体２を特定できなくなる。
【００５５】
さらにまた、絞り調節機構（不図示）に指令を出力して絞り値を変更し、主要被写体２が露出アンダーもしくは露出オーバーになるようにしてもよい。この場合にも、撮影画像において被写体２を特定できなくなる。
【００５６】
画像記録処理（ステップＳ２３）の前に、被写体２を特定できないようにトリミング処理するためのステップを挿入してもよい。トリミング処理のための操作は撮影者が行う。
【００５７】
上記４のカメラ制御処理では光学的にズーム倍率を変更することによって主要被写体２を写さないようにしたが、電子ズーム倍率を変更することによって主要被写体２を写さないようにしてもよい。
【００５８】
電子ズーム倍率を変更する場合は、ズーム倍率の変更にともなう解像度の変化により、撮影画像において被写体２が特定できなくなるようにしてもよい。
【００５９】
被写体２が人物である場合のタグ３を例に説明したが、被写体２は物であってもよい。この場合、タグ３を物の中に入れたり、物の下に置いたり、物の上に置くようにしてもよい。
【００６０】
タグ３は、たとえば、ＩＣタグや位置情報検出機能付き携帯電話機によって構成される。
【００６１】
カメラ１およびタグ３が直接通信する例を説明したが、ネットワークを介して通信を行うようにしてもよい。この場合には、カメラ１およびタグ３がそれぞれ最寄りの無線アクセスポイントにアクセスし、無線アクセスポイント相互の間の通信はネットワークを介して行う。
【００６２】
カメラ１およびタグ３がネットワークを介して通信する場合には、タグ３のメモリ５２に格納する許諾情報などをネットワーク上のサーバーに格納しておいてもよい。タグ３の構成を簡単にすることで、タグ３をより小型に構成することができる。
【００６３】
（第二の実施形態）
第二の実施形態では、カメラ１がタグ３から受信した被写体情報を記録する。図６は、第二の実施の形態によるカメラ１で行われる処理の流れを説明するフローチャートである。図６による処理は、図４による処理に代えて行われる。図６において、図４による処理と同一の処理については、図４のステップ番号と同一番号を記して説明を省略する。
【００６４】
図６において、位置情報を取得する処理（図４のステップＳ１１）、および被写体２が撮影範囲内に位置するか否かの判定処理（図４のステップＳ１６）が省略される。ステップＳ１４の次に進むステップＳ１５Ａにおいて、ＣＰＵ１８は、被写体情報に含まれる被写体２のＩＤを取得してステップＳ１７へ進む。複数のタグ３から被写体情報を受信した場合は、それぞれのＩＤを取得する。
【００６５】
レリーズスイッチの全押し操作判定（ステップＳ２０）後に進むステップＳ１９において、ＣＰＵ１８は、撮影許可されたか否かを判定する。ＣＰＵ１８は、送受信回路１７で撮影許可を示す情報が受信されている場合にステップＳ１９を肯定判定してステップＳ２２へ進み、撮影拒否を示す情報が受信された場合にステップＳ１９を否定判定してステップＳ２４へ進む。被写体２から撮影拒否されている場合は、撮影処理（ステップＳ２２）および画像記録処理（ステップＳ２３）をスキップする。
【００６６】
ステップＳ２４において、ＣＰＵ１８は、ステップＳ１４で受信した被写体情報を記録媒体２２に記録する処理を行い、図６による処理を終了する。なお、被写体情報とともに撮影可否情報も記録する。撮影処理（ステップＳ２２）および画像記録処理（ステップＳ２３）を行った場合は、画像データに関連づけて記録する。
【００６７】
図７は、第二の実施の形態によるタグ３で行われる処理の流れを説明するフローチャートである。図７による処理は、図５による処理に代えて行われる。図７において、図５による処理と同一の処理については、図５のステップ番号と同一番号を記して説明を省略する。
【００６８】
図７において、位置情報を取得する処理（図５のステップＳ５１）が省略される。ステップＳ５４の次に進むステップＳ５５Ａにおいて、ＣＰＵ５１は、メモリ５２に記憶されている被写体ＩＤと、条件提示の要求とを被写体情報として送受信回路５３から送信させ、ステップＳ５６へ進む。
【００６９】
ステップＳ６０Ａにおいて、ＣＰＵ５１は、被写体ＩＤと、撮影拒否情報とを送受信回路５３から送信させ、図７による処理を終了する。
【００７０】
以上説明した第二の実施形態によれば、カメラ１が被写体２を撮影許可する情報をタグ３から受信したとき、被写体２を撮影・記録し、カメラ１が被写体２の撮影を拒否する情報をタグ３から受信したとき、撮影・記録処理をスキップする。これにより、被写体２が撮影されることを望まない場合に、カメラ１で被写体２を撮影することを防止できるから、被写体２の肖像権を保護できる。
【００７１】
また、記録媒体２２に被写体情報を記録するようにしたので、撮影許可および撮影拒否の履歴を残すことができる。したがって、撮影・記録した画像を利用する際の肖像権の管理が容易になる。撮影・記録処理を行わなかった場合には、記録されている被写体情報および撮影可否情報を解析することによって撮影拒否した被写体ＩＤを特定できる。
【００７２】
表示装置１９に表示するレリーズ操作前の画像（スルー画像）において、撮影可否を示す表示を行うようにしてもよい。図８は、表示装置１９に表示されるスルー画像の例である。図８において、被写体Ａ、被写体Ｂおよび被写体Ｃが表示されている。「Ａ」、「Ｂ」および「Ｃ」は便宜上記した符号である。
【００７３】
ＣＰＵ１８は、被写体Ａ、被写体Ｂおよび被写体Ｃが携帯する各タグから送信される被写体情報によって各被写体が撮影を許可しているか、拒否しているかをそれぞれ判定し、判定結果をスルー画像に重ねて表示（オンスクリーン表示）する。図８において、「ＯＫ」表示は撮影許可を、「ＮＧ」表示は撮影拒否を、それぞれ表す。「Ｃｏｎｄｉｔｉｏｎａｌ」表示は、条件次第であることを表す。判定結果表示は、当該被写体を通る鉛直線上に表示すると被写体との関係をわかりやすく表示できる。なお、被写体Ａ、被写体Ｂおよび被写体Ｃの位置関係は、各タグからの位置情報と、カメラ１自身の位置情報とを用いた演算によって得る。
【００７４】
表示装置１９を備えていないカメラの場合は、ファインダー内に判定結果を表示してもよい。この場合には、ファインダー内に観察される被写体像に重ねて、図８の場合と同様に判定結果をオンスクリーン表示する。
【００７５】
特許請求の範囲における各構成要素と、発明を実施するための最良の形態における各構成要素との対応について説明する。撮像手段は、たとえば、撮像素子１２および信号処理回路１３によって構成される。位置情報生成手段は、たとえば、位置検出装置２０によって構成される。受信手段および特定情報送信手段は、たとえば、送受信回路１７によって構成される。判定手段、制御手段、記録手段、および被写体情報記録指示手段は、たとえば、ＣＰＵ１８によって構成される。被写体情報送信手段は、たとえば、タグ３によって構成される。カメラ特定情報はカメラＩＤが、被写体特定情報は被写体ＩＤが、それぞれ対応する。なお、本発明の特徴的な機能を損なわない限り、各構成要素は上記構成に限定されるものではない。
【図面の簡単な説明】
【００７６】
【図１】本発明の第一の実施形態によるカメラシステムを示す図である。
【図２】カメラの要部構成を説明するブロック図である。
【図３】タグの要部構成を説明するブロック図である。
【図４】カメラで行われる処理の流れを説明するフローチャートである。
【図５】タグで行われる処理の流れを説明するフローチャートである。
【図６】第二の実施の携帯によるカメラで行われる処理の流れを説明するフローチャートである。
【図７】第二の実施の携帯によるタグで行われる処理の流れを説明するフローチャートである。
【図８】表示装置に表示されるスルー画像の例を示す図である。
【符号の説明】
【００７７】
１…カメラ
２…被写体
３…タグ
１１…撮影ズームレンズ
１２…撮像素子
１５…駆動機構
１６…閃光装置
１７，５３…送受信回路
１８，５１…ＣＰＵ
１９…表示装置
２０，５４…位置検出装置
【図１】
2005107358.tif 000003
【図２】
2005107358.tif 000004
【図３】
2005107358.tif 000005
【図４】
2005107358.tif 000006
【図５】
2005107358.tif 000007
【図６】
2005107358.tif 000008
【図７】
2005107358.tif 000009
【図８】
2005107358.tif 000010